(57)【要約】【課題】ディスクアダプタのディスク記録面（他方の面）を薄型化し、高容量対応規格ピックアップと接触のないディスクアダプタを提供すること。【解決手段】本発明のディスクアダプタは、リング状に形成されたアダプタ本体１と、アダプタ本体１の内周に形成され、ディスク２の一方の面を支持する第１の突起４を有し、ディスク２の外周に当接しディスク２を中心方向に押圧するヒンジ部３と、アダプタ本体１の内周に形成され、ディスク２の他方の面を支持する支持部とを備え、ディスク２をアダプタ本体１の内周に保持し、支持部をアダプタ本体１よりも剛性の高い材料で構成したことを特徴とする。【選択図】        図１
2008010095.tif 000002
【特許請求の範囲】
【請求項１】
リング状に形成されたアダプタ本体と、
前記アダプタ本体の内周に形成され、ディスクの一方の面を支持する第１の突起を有し、前記ディスクの外周に当接して前記ディスクを中心方向に押圧するヒンジ部と、
前記アダプタ本体の内周に形成され、前記ディスクの他方の面を支持する支持部とを備え、前記ディスクを前記アダプタ本体の内周に保持するディスクアダプタであって、
前記支持部を前記アダプタ本体よりも剛性の高い材料で構成したことを特徴とするディスクアダプタ。
【請求項２】
前記支持部を金属片で形成し、前記アダプタ本体に一体的に成型したことを特徴とする請求項１に記載のディスクアダプタ。
【請求項３】
前記支持部を１２０度間隔で３箇所形成したことを特徴とする請求項１に記載のディスクアダプタ。
【請求項４】
前記支持部には、成型時の位置決めとして用いる第１の穴を備えたことを特徴とする請求項１に記載のディスクアダプタ。
【請求項５】
前記支持部には、前記アダプタ本体の材料によって閉塞される第２の穴を備えたことを特徴とする請求項１に記載のディスクアダプタ。
【請求項６】
前記支持部を、前記アダプタ本体と異なる色としたことを特徴とする請求項１に記載のディスクアダプタ。
【請求項７】
前記アダプタ本体には、取り扱い上の注意表示をしたことを特徴とする請求項１に記載のディスクアダプタ。
【請求項８】
前記注意表示を、前記アダプタ本体と異なる色としたことを特徴とする請求項７に記載のディスクアダプタ。
【発明の詳細な説明】
【技術分野】
【０００１】
本発明は、ＣＤやＤＶＤなどのディスクを保持するディスクアダプタに関するものである。
【背景技術】
【０００２】
従来のディスクアダプタを図８から図１１に示す（特許文献１）。図８は同ディスクアダプタの正面図、図９は同ディスクアダプタの裏面図、図１０は図８のX−X線断面図、図１１は図９のXI−XI線断面図である。
従来のディスクアダプタは、リング状に形成されたアダプタ本体１の内周に、３つのヒンジ部３が等間隔に形成され、それぞれのヒンジ部３は、ディスク２の外周部に当接し、弾性力によってディスク２を中心方向に押圧している。また、ヒンジ部３には第１の突起４が形成されており、ディスク２の一方の面を支持している。
一方、アダプタ１に一体で形成された６つの第２の突起５にて、ディスク２の他方の面を支持している。
【特許文献１】特開昭６３−２４９９８４号公報
【発明の開示】
【発明が解決しようとする課題】
【０００３】
しかし近年、ディスク装置のスリム化、高容量化がすすんでおり、ディスクとピックアップレンズとの焦点距離も小さくなっており、従来のディスクアダプタではピックアップとアダプタが接触し、高容量対応規格には対応できない場合がある。
【０００４】
本発明は、このような従来の課題を解決するもので、ディスクアダプタのディスク記録面（他方の面）を薄型化し、高容量対応規格ピックアップと接触のないディスクアダプタを提供することを目的とする。
【課題を解決するための手段】
【０００５】
請求項１に記載の本発明のディスクアダプタは、リング状に形成されたアダプタ本体と、前記アダプタ本体の内周に形成され、ディスクの一方の面を支持する第１の突起を有し、前記ディスクの外周に当接して前記ディスクを中心方向に押圧するヒンジ部と、前記アダプタ本体の内周に形成され、前記ディスクの他方の面を支持する支持部とを備え、前記ディスクを前記アダプタ本体の内周に保持するディスクアダプタであって、前記支持部を前記アダプタ本体よりも剛性の高い材料で構成したことを特徴とする。
請求項２に記載の本発明は、請求項１に記載のディスクアダプタにおいて、前記支持部を金属片で形成し、前記アダプタ本体に一体的に成型したことを特徴とする。
請求項３に記載の本発明は、請求項１に記載のディスクアダプタにおいて、前記支持部を１２０度間隔で３箇所形成したことを特徴とする。
請求項４に記載の本発明のディスクアダプタは、前記支持部には、成型時の位置決めとして用いる第１の穴を備えたことを特徴とする。
請求項５に記載の本発明は、請求項１に記載のディスクアダプタにおいて、前記支持部には、前記アダプタ本体の材料によって閉塞される第２の穴を備えたことを特徴とする。
請求項６に記載の本発明は、請求項１に記載のディスクアダプタにおいて、前記支持部を、前記アダプタ本体と異なる色としたことを特徴とする。
請求項７に記載の本発明は、請求項１に記載のディスクアダプタにおいて、前記アダプタ本体には、取り扱い上の注意表示をしたことを特徴とする。
請求項８に記載の本発明は、請求項７に記載のディスクアダプタにおいて、前記注意表示を、前記アダプタ本体と異なる色としたことを特徴とする。
【発明の効果】
【０００６】
本発明によれば、ディスクアダプタのディスク記録面（下面）を薄型化することができ、ディスクアダプタによる、高容量対応規格のディスク記録再生が可能となる。
【発明を実施するための最良の形態】
【０００７】
本発明の第１の実施の形態によるディスクアダプタは、支持部をアダプタ本体よりも剛性の高い材料で構成したものである。本実施の形態によれば、ディスクの他方の面を剛性の高い材料で支持することで、アダプタ本体の他方の面の突出量を小さくでき、ピックアップとディスクアダプタの接触を防止することができる。
本発明の第２の実施の形態は、第１の実施の形態によるディスクアダプタにおいて、支持部を金属片で形成し、アダプタ本体に一体的に成型したものである。本実施の形態によれば、支持部とアダプタ本体との結合を確実に行える。
本発明の第３の実施の形態は、第１の実施の形態によるディスクアダプタにおいて、支持部を１２０度間隔で３箇所形成したものである。本実施の形態によれば、ディスクを確実に保持することができる。
本発明の第４の実施の形態は、第１の実施の形態によるディスクアダプタにおいて、支持部には、成型時の位置決めとして用いる第１の穴を備えたものである。本実施の形態によれば、支持部を精度良く位置決めすることができる。
本発明の第５の実施の形態は、第１の実施の形態によるディスクアダプタにおいて、支持部には、アダプタ本体の材料によって閉塞される第２の穴を備えたものである。本実施の形態によれば、支持部とアダプタ本体との結合を確実に行える。
本発明の第６の実施の形態は、第１の実施の形態によるディスクアダプタにおいて、支持部を、アダプタ本体と異なる色としたものである。本実施の形態によれば、使用時の安全性を高めることができる。
本発明の第７の実施の形態は、第１の実施の形態によるディスクアダプタにおいて、アダプタ本体には、取り扱い上の注意表示をしたものである。本実施の形態によれば、使用時の安全性を高めることができる。
本発明の第８の実施の形態は、第７の実施の形態によるディスクアダプタにおいて、注意表示を、アダプタ本体と異なる色としたものである。本実施の形態によれば、使用時の安全性を高めることができる。
【実施例】
【０００８】
以下に、本発明のディスクアダプタの実施の形態を図面とともに詳細に説明する。
図１は本発明の一実施例におけるディスクアダプタの正面図、図２は同ディスクアダプタの裏面図、図３は図２のIII−III線断面図、図４は図２のIV−IV線断面図、図５は一部透過させた同ディスクアダプタの斜視図、図６は同ディスクアダプタに用いる支持部の平面図、図７は同支持部の側面図である。
アダプタ本体１０に形成されたヒンジ部３は従来と同様に、ディスク２の外周に当接し、弾性力によってディスク２を中心方向に押圧し、第１の突起４によりディスク２の一方の面を支持している。
本実施例では、従来のアダプタ１に一体で形成された６つの第２の突起５の代わりに、ディスク支持板７にてディスク２の他方の面を支持している。
ディスク保持板７は、アダプタ本体１０の内周に、１２０度間隔で３箇所、一体成型されることで、アダプタ本体１０に取り付けられている。
ディスク保持板７は、薄い金属で構成され、ディスク本体１０に一体成型するときの位置決めのための第１の穴８を有している。成型金型に段付きピンを構成し、第１の穴８を段付きピンによって上下から挟み、保持したまま成型することで、アダプタ本体１０とディスク支持板７との位置精度を確保することができる。またディスク保持板７は、第２の穴６を有することで成型性がよくなるとともに、ディスク支持板７の上下の樹脂の結合が強くなるため、アダプタ本体１０の強度を確保できる。
【０００９】
一方、ディスク支持板７は薄い金属のため、顧客が使用する際、取扱いによっては手を切るなど怪我をする危険性がある。その防止対策として、危険部位が一目で分かるよう、ディスク支持板７の色はアダプタ本体１とは異なる色で、対照的な色が好ましい。対照的な色としては、例えばアダプタ本体１０を黒とし、ディスク支持板７をシルバーとする。
さらに、取扱い時に注意するための表示印刷９をアダプタ本体１０に印刷することにより取扱い時の安全性を高めることができる。そして、印刷はディスク支持板同様、アダプタ本体１０と異なる色で、対照的な色が好ましい。例えばアダプタ本体１０を黒とし、印刷は白とすることが好ましい。
【産業上の利用可能性】
【００１０】
本発明のディスクアダプタは、特にブルーレイのスリムスロットタイプやハーフハイトドライブなど、従来では再生不可能であったディスク装置において、８センチディスクの再生として利用できる。
【図面の簡単な説明】
【００１１】
【図１】本発明の一実施例におけるディスクアダプタの正面図
【図２】同ディスクアダプタの裏面図
【図３】図２のIII−III線断面図
【図４】図２のIV−IV線断面図
【図５】一部透過させた同ディスクアダプタの斜視図
【図６】同ディスクアダプタに用いる支持部の平面図
【図７】同支持部の側面図
【図８】従来のディスクアダプタの正面図
【図９】同ディスクアダプタの裏面図
【図１０】図８のX−X線断面図
【図１１】図９のXI−XI線断面図
【符号の説明】
【００１２】
１  アダプタ本体
２  ディスク
３  ヒンジ部
４  第１の突起
５  第２の突起
６  第２の穴
７  ディスク支持板
８  第１の穴
９  表示印刷
１０  アダプタ本体
【図３】
2008010095.tif 000003
【図４】
2008010095.tif 000004
【図５】
2008010095.tif 000005
【図６】
2008010095.tif 000006
【図７】
2008010095.tif 000007
【図１０】
2008010095.tif 000008
【図１１】
2008010095.tif 000009
【図１】
2008010095.tif 000010
【図２】
2008010095.tif 000011
【図８】
2008010095.tif 000012
【図９】
2008010095.tif 000013